(57)【要約】【課題】ユーザーが、選曲と音量調整とを行い易い電子機器を提供すること。【解決手段】ＣＰＵ２は、Ｕｐボタン５１、又は、Ｄｏｗｎボタン５２が長く押される長押し操作、及び、短く押される短押し操作を受け付ける。ＣＰＵ２は、音楽再生中に、長押し操作、又は、短押し操作を受け付けた場合、ボタンの押下時間に基づいて、音量を調整する。ＣＰＵ２は、音楽再生一時停止中に、短押し操作を受け付けた場合、楽曲を送るか、又は、戻す選曲を行う。ＣＰＵ２は、音楽再生一時停止中に、長押し操作を受け付けた場合、音量を調整する。【選択図】図２
2018136688.tif 000002
【特許請求の範囲】
【請求項１】
操作を受け付けるための操作ボタンと、
制御部と、
を備え、
前記制御部は、
前記操作ボタンが長く押される長押し操作、及び、短く押される短押し操作を受け付け、
音声再生中に、前記長押し操作、又は、前記短押し操作を受け付けた場合、前記操作ボタンの押下時間に基づいて、音量を調整し、
音声再生停止中に、前記短押し操作を受け付けた場合、楽曲を送るか、又は、戻す選曲を行い、
音声再生停止中に、前記長押し操作を受け付けた場合、音量を調整することを特徴とする電子機器。
【請求項２】
前記制御部は、選曲後、音声再生停止を解除し、再生を開始することを特徴とする請求項１に記載の電子機器。
【請求項３】
前記制御部は、選曲後、所定時間内に、前記短押し操作を受け付けた場合、楽曲を送るか、又は、戻す選曲を行うことを特徴とする請求項２に記載の電子機器。
【請求項４】
前記制御部は、選曲後、前記所定時間内に、前記長押し操作を受け付けた場合、音量を調整することと特徴とする請求項３に記載の電子機器。
【請求項５】
前記制御部は、音量調整後、所定時間内に、前記短押し操作を受け付けた場合、音量を調整することを特徴とする請求項１〜４のいずれか１項に記載の電子機器。
【請求項６】
前記操作ボタンは、第１操作ボタンを有し、
前記制御部は、
音声再生中に、前記第１操作ボタンの、前記長押し操作、又は、前記短押し操作を受け付けた場合、前記第１操作ボタンの押下時間に基づいて、音量を上げ、
音声再生停止中に、前記第１操作ボタンの、前記短押し操作を受け付けた場合、楽曲を送り、
音声再生停止中に、前記第１操作ボタンの、前記長押し操作を受け付けた場合、音量を上げることを特徴とする請求項１〜５のいずれか１項に記載の電子機器。
【請求項７】
前記操作ボタンは、第２操作ボタンを有し、
前記制御部は、
音声再生中に、前記第２操作ボタンの、前記長押し操作、又は、前記短押し操作を受け付けた場合、前記第２操作ボタンの押下時間に基づいて、音量を下げ、
音声再生停止中に、前記第２操作ボタンの、前記短押し操作を受け付けた場合、楽曲を戻し、
音声再生停止中に、前記第２操作ボタンの、前記長押し操作を受け付けた場合、音量を下げることを特徴とする請求項１〜６のいずれか１項に記載の電子機器。
【発明の詳細な説明】
【技術分野】
【０００１】
本発明は、音量調整、及び、選曲の操作を受け付けるため操作ボタンを備える電子機器に関する。
【背景技術】
【０００２】
記録媒体、半導体メモリ等に記憶されたコンテンツ（音楽）、ストリーミングのコンテンツを再生する電子機器には、電子機器の大きさ、デザイン等の都合上、操作用のボタンの数が少ないものが多い。多くの機器では、図４に示すように、Ｐｌａｙ／Ｐａｕｓｅボタン、Ｕｐボタン、Ｄｏｗｎボタンである。Ｕｐボタンは、ユーザーが音量を上げたり、１つ次の曲に送ったりするためのボタンである。Ｄｏｗｎボタンは、ユーザーが音量を下げたり、１つ前の曲に戻したりするためのボタンである。Ｐｌａｙ／Ｐａｕｓｅボタンは、ユーザーが再生を開始したり、再生を一時停止／停止させたりするためのボタンである。
【０００３】
Ｕｐボタン、Ｄｏｗｎボタンは、音量の調整と選曲とを兼ねている。音量の調整と選曲との機能の切り替えには、いくつかの方式がある。代表的な方式は、次の通りである。
１．ユーザーがボタンを短く押す、短押しの場合は、選曲、ユーザーがボタンを長く押す、長押しの場合は、音量調整。
２．短押しの場合は、音量調整で、所定の一単位の調整、長押しの場合は、選曲。
３．短押し１回と長押しの場合は、音量調整、短押し２回の場合は、選曲。
【０００４】
１．の方式では、ユーザーは、少しだけ音量を上げたり下げたりすることが難しい。ユーザーは、短押しと長押しとの判断の境目を判断しづらく、例えば、少し音量を上げたいときに、Ｕｐボタンを早めに離すと、電子機器が、短押しと判断し、選曲動作となり、長めにＵｐボタンを押すと、音量がユーザーの希望よりも上がりすぎてしまうからである。
【０００５】
２．の方式では、ユーザーは、音量を大きく調整したいときに、何度も短押しする必要があり、面倒である。このため、ユーザーは、音量を大きく調整するために長押しをし、電子機器が選曲動作をしてしまう。
【０００６】
３．の方式は、１．の方式と、２．の方式と、に対応したものである。しかしながら、ユーザーが１回短押しして音量を調節した後、まだ希望よりも不足だったために、もう１回短押しをすると、電子機器が短押し２回と判断し、選曲動作をするという問題がある。なお、特許文献１には、短押しと長押しとで音量調整量を変化させる発明が開示されている。
【先行技術文献】
【特許文献】
【０００７】
【特許文献１】特開２０１０−１２４４２４号公報
【発明の概要】
【発明が解決しようとする課題】
【０００８】
上述のように、従来の電子機器では、ユーザーが、選曲と音量調整とを行い難いという問題がある。
【０００９】
本発明の目的は、ユーザーが、選曲と音量調整とを行い易い電子機器を提供することである。
【課題を解決するための手段】
【００１０】
第１の発明の電子機器は、操作を受け付けるための操作ボタンと、制御部と、を備え、前記制御部は、前記操作ボタンが長く押される長押し操作、及び、短く押される短押し操作を受け付け、音声再生中に、前記長押し操作、又は、前記短押し操作を受け付けた場合、前記操作ボタンの押下時間に基づいて、音量を調整し、音声再生停止中に、前記短押し操作を受け付けた場合、楽曲を送るか、又は、戻す選曲を行い、音声再生停止中に、前記長押し操作を受け付けた場合、音量を調整することを特徴とする。
【００１１】
従来の問題点は、ユーザーが音量調整をしたいときに、電子機器が誤って選曲動作をしてしまうことにある。聴いていた楽曲が中断されてしまい、多くの場合、ユーザーは、聴いていた元の位置に簡単には戻せないため、ストレスとなる。
【００１２】
選曲操作は、音量調整ほど微妙な調整は必要なく、また、あまり行われる操作ではないため、音量調整より優先度が低いと考えらえる。
【００１３】
このため、本発明では、制御部は、音声再生中に、長押し操作、又は、短押し操作を受け付けた場合、操作ボタンの押下時間に基づいて、音量を調整する。これにより、電子機器が、誤って選曲動作をするということが防止される。
【００１４】
また、音声再生停止中、音声は再生されていないため、電子機器が音量調整を行っても、ユーザーは、その結果を確認できない。よって、音声再生停止中に音量調整を行うことは合理的ではない。このため、本発明では、制御部は、音声再生停止中に、短押し操作を受け付けた場合、楽曲を送るか、又は、戻す選曲を行う。
【００１５】
また、音声再生停止中でも、次の再生に備えて、ユーザーが大きく音量を下げておきたいという要求は想定される。このため、本発明では、制御部は、音声再生停止中に、長押し操作を受け付けた場合、音量を調整する。
【００１６】
このように、本発明では、理にかなった選曲動作、音量調整が行われるため、ユーザーは、選曲と音量調整とを行い易い。
【００１７】
なお、「停止」には、いわゆるストップ、及び、ポーズ（一時停止）が含まれる。
【００１８】
第２の発明の電子機器は、第１の発明の電子機器において、前記制御部は、選曲後、音声再生停止を解除し、再生を開始することを特徴とする。
【００１９】
本発明では、制御部は、選曲後、音声再生停止を解除し、再生を開始する。これにより、ユーザーは、選曲をした後、すぐに音声を聴取することができる。
【００２０】
第３の発明の電子機器は、第２の発明の電子機器において、前記制御部は、選曲後、所定時間内に、前記短押し操作を受け付けた場合、楽曲を送るか、又は、戻す選曲を行うことを特徴とする。
【００２１】
選曲後、再生が開始された場合、ユーザーは、選曲後の楽曲が希望の楽曲ではなく、もう一度選曲したい場合がある。このため、本発明では、制御部は、選曲後、所定時間内に、短押し操作を受け付けた場合、選曲を行う。これにより、ユーザーは、選曲後、再生が開始された後、選曲を行うことができる。
【００２２】
第４の発明の電子機器は、第３の発明の電子機器において、前記制御部は、選曲後、前記所定時間内に、前記長押し操作を受け付けた場合、音量を調整することと特徴とする。
【００２３】
選曲後に再生された楽曲の音量が大きすぎたり、小さすぎたりする可能性がある。このため、本発明では、制御部は、選曲後、所定時間内に、長押し操作を受け付けた場合、音量を調整する。これにより、ユーザーは、選曲後に再生された楽曲の音量が大きすぎたり、小さすぎたりする場合、音量を調整することができる。
【００２４】
第５の発明の電子機器は、第１〜第４のいずれかの発明の電子機器において、前記制御部は、音量調整後、所定時間内に、前記短押し操作を受け付けた場合、音量を調整することを特徴とする。
【００２５】
第６の発明の電子機器は、第１〜第５のいずれかの発明の電子機器において、前記操作ボタンは、第１操作ボタンを有し、前記制御部は、音声再生中に、前記第１操作ボタンの、前記長押し操作、又は、前記短押し操作を受け付けた場合、前記第１操作ボタンの押下時間に基づいて、音量を上げ、音声再生停止中に、前記第１操作ボタンの、前記短押し操作を受け付けた場合、楽曲を送り、音声再生停止中に、前記第１操作ボタンの、前記長押し操作を受け付けた場合、音量を上げることを特徴とする。
【００２６】
第７の発明の電子機器は、第１〜第６のいずれかの発明の電子機器において、前記操作ボタンは、第２操作ボタンを有し、前記制御部は、音声再生中に、前記第２操作ボタンの、前記長押し操作、又は、前記短押し操作を受け付けた場合、前記第２操作ボタンの押下時間に基づいて、音量を下げ、音声再生停止中に、前記第２操作ボタンの、前記短押し操作を受け付けた場合、楽曲を戻し、音声再生停止中に、前記第２操作ボタンの、前記長押し操作を受け付けた場合、音量を下げることを特徴とする。
【発明の効果】
【００２７】
本発明によれば、理にかなった選曲動作、音量調整が行われるため、ユーザーは、選曲と音量調整とを行い易い。
【図面の簡単な説明】
【００２８】
【図１】本発明の実施形態に係るデジタルオーディオプレーヤーの構成を示すブロック図である。
【図２】Ｕｐボタン、Ｄｏｗｎボタンの操作を受け付けた場合のＤＡＰの処理動作を示す図である。
【図３】４秒タイマーが終了した場合のＤＡＰの処理動作を示すフローチャートである。
【図４】Ｐｌａｙ／Ｐａｕｓｅボタン、Ｕｐボタン、Ｄｏｗｎボタンを示す図である。
【発明を実施するための形態】
【００２９】
以下、本発明の実施形態について説明する。図１は、本発明の実施形態に係るデジタルオーディオプレーヤー（以下、「ＤＡＰ」という。）の構成を示すブロック図である。ＤＡＰ１（電子機器）は、ヘッドホン１０１に音声信号を出力する。ヘッドホン１０１は、音声信号に基づいて、音声を外部に出力する。
【００３０】
図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅器８、無線モジュール９、ＵＳＢインターフェース（以下、「ＵＳＢ  Ｉ／Ｆ」という。）１０を備える。
【００３１】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタル音声信号等の各種データを記憶するフラッシュメモリから構成されている。なお、記憶部３は、例示する構成に限られず、ＨＤＤ（Hard Disk Drive）等を含んでいてもよい。
【００３２】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。また、操作部５は、Ｕｐボタン５１（第１操作ボタン）、Ｄｏｗｎボタン５２（第２操作ボタン）を備えている。
【００３３】
ＤＳＰ（Digital Signal Processor）６は、デジタル音声信号に、イコライザー処理等の信号処理を行う。ＤＡＣ７は、デジタル音声信号をアナログ音声信号にＤ／Ａ変換する。増幅器８は、ＤＡＣ７がＤ／Ａ変換したアナログ音声信号を増幅する。増幅器８により増幅されたアナログ音声信号は、ヘッドホン１０１に出力される。無線モジュール９は、Ｂｌｕｅｔｏｏｔｈ（登録商標）規格、Ｗｉ−Ｆｉ規格に従った無線通信を行うためのものである。ＵＳＢ  Ｉ／Ｆ１０は、ＵＳＢ規格に従った通信を行うためのものである。
【００３４】
以下、Ｕｐボタン５１、Ｄｏｗｎボタン５２の操作を受け付けた場合のＤＡＰ１の処理動作について説明する。ここでは、音楽再生中、又は、音楽再生一時停止中に、Ｕｐボタン５１、Ｄｏｗｎボタン５２の操作が受け付けられた場合について説明するが、音楽再生停止（いわゆるストップ）中に、以下の処理を行ってもよい。
【００３５】
ＣＰＵ２は、音楽（音声）再生中に、Ｕｐボタン５１、又は、Ｄｏｗｎボタン５２の操作を受け付けた場合、ボタンが短く押される短押し操作、ボタンが長く押される長押し操作のいずれであっても、押下時間に基づいて、音量を調整する。具体的には、ＣＰＵ２は、音楽再生中に、Ｕｐボタン５１の長押し操作、又は、短押し操作を受け付けた場合、押下時間に基づいて、音量を上げる。また、ＣＰＵ２は、音楽再生中に、Ｄｏｗｎボタン５２の短押し操作、又は、長押し操作を受け付けた場合、押下時間に基づいて、音量を下げる。
【００３６】
ＣＰＵ２は、音楽再生一時停止（ポーズ）中に、Ｕｐボタン５１、又は、Ｄｏｗｎボタン５２の短押し操作を受け付けた場合、楽曲を送るか、又は、戻す選曲を行う。具体的には、ＣＰＵ２は、音楽再生一時停止中に、Ｕｐボタン５１の短押し操作を受け付けた場合、楽曲を送る選曲を行う。また、ＣＰＵ２は、音楽再生一時停止中に、Ｄｏｗｎボタン５２の短押し操作を受け付けた場合、楽曲を戻す選曲を行う。また、ＣＰＵ２は、選曲後、音楽再生一時停止を解除し、再生を開始する。
【００３７】
ＣＰＵ２は、選曲後、所定時間（例えば、４秒間）内に、Ｕｐボタン５１、又は、Ｄｏｗｎボタン５２の短押し操作を受け付けた場合、楽曲を送るか、又は、戻す選曲を行う。具体的には、ＣＰＵ２は、選曲後、所定時間内に、Ｕｐボタン５１の短押し操作を受け付けた場合、楽曲を送る選曲を行う。また、ＣＰＵ２は、選曲後、所定時間内に、Ｄｏｗｎボタン５２の短押し操作を受け付けた場合、楽曲を戻す選曲を行う。
【００３８】
ＣＰＵ２は、選曲後、所定時間（例えば、４秒間）内に、Ｕｐボタン５１、又は、Ｄｏｗｎボタン５２の長押し操作を受け付けた場合、音量を調整する。具体的には、ＣＰＵ２は、選曲後、所定時間内に、Ｕｐボタン５１の長押し操作を受け付けた場合、音量を上げる。また、ＣＰＵ２は、所定時間内に、Ｄｏｗｎボタン５２の長押し操作を受け付けた場合、音量を下げる。
【００３９】
ＣＰＵ２は、音楽再生一時停止中に、Ｕｐボタン５１、又は、Ｄｏｗｎボタン５２の長押し操作を受け付けた場合、音量を調整する。具体的には、ＣＰＵ２は、音楽再生一時停止中に、Ｕｐボタン５１の長押し操作を受け付けた場合、音量を上げる。また、ＣＰＵ２は、音楽再生一時停止中に、Ｄｏｗｎボタン５２の長押し操作を受け付けた場合、音量を下げる。
【００４０】
ＣＰＵ２は、音量調整後、所定時間内に、Ｕｐボタン５１、又は、Ｄｏｗｎボタン５２の短押し操作を受け付けた場合、音量を調整する。具体的には、ＣＰＵ２は、音量調整後、所定時間内に、Ｕｐボタン５１の短押し操作を受け付けた場合、音量を上げる。また、ＣＰＵ２は、音量調整後、所定時間内に、Ｄｏｗｎボタン５２の短押し操作を受け付けた場合、音量を下げる。
【００４１】
以下、Ｕｐボタン５１、Ｄｏｗｎボタン５２の操作を受け付けた場合のＤＡＰ１の処理動作を、図２に示すフローチャートに基づいて説明する。ＣＰＵ２は、Ｕｐボタン５１、又は、Ｄｏｗｎボタン５２の操作を受け付けた場合、長押し操作であるか否かを判断する（Ｓ１）。ＣＰＵ２は、長押し操作であると判断した場合（Ｓ１：Ｙｅｓ）、音量を調整する（Ｓ２）。具体的には、ＣＰＵ２は、Ｕｐボタン５１の長押し操作を受け付けた場合、音量を上げる。また、ＣＰＵ２は、Ｄｏｗｎボタン５２の長押し操作を受け付けた場合、音量を下げる。次に、ＣＰＵ２は、選曲後、４秒以内であるか否かを示すフラグを０とする（Ｓ３）。フラグが０である場合、フラグは、選曲後、４秒以内でないことを示している。フラグが１である場合、フラグは、選曲後、４秒以内であることを示している。
【００４２】
ＣＰＵ２は、長押し操作でない、すなわち、短押し操作であると判断した場合（Ｓ２：Ｎｏ）、音楽再生状態であるか否かを判断する（Ｓ４）。ＣＰＵ２は、音楽再生状態ではない、すなわち、音楽再生一時停止中であると判断した場合（Ｓ４：Ｎｏ）、選曲を行い、音楽再生を開始する（Ｓ５）。具体的には、ＣＰＵ２は、Ｕｐボタン５１の短押し操作を受け付けた場合、楽曲を送る選曲を行い、音楽再生を開始する。また、ＣＰＵ２は、Ｄｏｗｎボタン５２の短押し操作を受け付けた場合、楽曲を戻す選曲を行い、音楽再生を開始する。次に、ＣＰＵ２は、４秒タイマーをセットする（Ｓ６）。次に、ＣＰＵ２は、フラグを１とする（Ｓ７）。
【００４３】
ＣＰＵ２は、音楽再生状態であると判断した場合（Ｓ４：Ｙｅｓ）、フラグが０であるか否かを判断する（Ｓ８）。ＣＰＵ２は、フラグが０であると判断した場合（Ｓ８：Ｙｅｓ）、Ｓ２の処理を行う。また、ＣＰＵ２は、フラグが０でない、すなわち、フラグが１であると判断した場合（Ｓ８：Ｎｏ）、Ｓ５の処理を行う。
【００４４】
次に、４秒タイマーが終了した場合のＤＡＰ１の処理動作を、図３に示すフローチャートに基づいて説明する。ＣＰＵ２は、４秒タイマーが終了した場合、フラグを０とする（Ｓ１１）。
【００４５】
従来の問題点は、ユーザーが音量調整をしたいときに、ＤＡＰ１が誤って選曲動作をしてしまうことにある。聴いていた楽曲が中断されてしまい、多くの場合、ユーザーは、聴いていた元の位置に簡単には戻せないため、ストレスとなる。
【００４６】
選曲操作は、音量調整ほど微妙な調整は必要なく、また、あまり行われる操作ではないため、音量調整より優先度が低いと考えらえる。
【００４７】
このため、本実施形態では、ＣＰＵ２は、音楽再生中に、Ｕｐボタン５１、又は、Ｄｏｗｎボタン５２の長押し操作、又は、短押し操作を受け付けた場合、ボタンの押下時間に基づいて、音量を調整する。これにより、ＤＡＰ１が、誤って選曲動作をするということが防止される。
【００４８】
また、音楽再生一時停止中、音楽は再生されていないため、ＤＡＰ１が音量調整を行っても、ユーザーは、その結果を確認できない。よって、音楽再生一時停止中に音量調整を行うことは合理的ではない。このため、本実施形態では、ＣＰＵ２は、音楽再生一時停止中に、Ｕｐボタン５１、又は、Ｄｏｗｎボタン５２の短押し操作を受け付けた場合、楽曲を送るか、又は、戻す選曲を行う。
【００４９】
また、音楽再生一時停止中でも、次の再生に備えて、ユーザーが大きく音量を下げておきたいという要求は想定される。このため、本実施形態では、ＣＰＵ２は、音楽再生一時停止中に、Ｕｐボタン５１、又は、Ｄｏｗｎボタン５２の長押し操作を受け付けた場合、音量を調整する。
【００５０】
このように、本実施形態では、理にかなった選曲動作、音量調整が行われるため、ユーザーは、選曲と音量調整とを行い易い。
【００５１】
また、本実施形態では、ＣＰＵ２は、選曲後、音楽再生一時停止を解除し、再生を開始する。これにより、ユーザーは、選曲をした後、すぐに音楽を聴取することができる。
【００５２】
選曲後、再生が開始された場合、ユーザーは、選曲後の楽曲が希望の楽曲ではなく、もう一度選曲したい場合がある。このため、本実施形態では、ＣＰＵ２は、選曲後、所定時間内に、Ｕｐボタン５１、又は、Ｄｏｗｎボタン５２の短押し操作を受け付けた場合、選曲を行う。これにより、ユーザーは、選曲後、再生が開始された後、選曲を行うことができる。
【００５３】
選曲後に再生された楽曲の音量が大きすぎたり、小さすぎたりする可能性がある。このため、本実施形態では、ＣＰＵ２は、選曲後、所定時間内に、Ｕｐボタン５１、又は、Ｄｏｗｎボタン５２の長押し操作を受け付けた場合、音量を調整する。これにより、ユーザーは、選曲後に再生された楽曲の音量が大きすぎたり、小さすぎたりする場合、音量を調整することができる。
【００５４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５５】
上述の実施形態においては、ＣＰＵ２は、選曲後、音楽再生一時停止を解除し、再生を開始するようになっている。これに限らず、ＣＰＵ２は、選曲後、Ｐｌａｙ／Ｐａｕｓｅボタン（不図示）の操作を受け付けなければ、再生を開始しないようになっていてもよい。
【００５６】
上述の実施形態においては、電子機器として、ＤＡＰ１を例示した。これに限らず、音量調整、及び、選曲の操作を受け付けるため操作ボタンを備えていれば、スマートフォン、タブレットＰＣ、ＵＳＢ  ＤＡＣ、ヘッドホンアンプ、リモートコントローラー付ヘッドホン（いわゆるイヤホンも含む。）であってもよい。また、リモートコントローラー付ヘッドホンの場合、Ｂｌｕｅｔｏｏｔｈ（登録商標）等の無線で本体装置と通信するようになっていてもよい。
【産業上の利用可能性】
【００５７】
本発明は、音量調整、及び、選曲の操作を受け付けるため操作ボタンを備える電子機器に好適に採用され得る。
【符号の説明】
【００５８】
１  ＤＡＰ（電子機器）
２  ＣＰＵ（制御部）
５  操作部
５１  Ｕｐボタン（第１操作ボタン）
５２  Ｄｏｗｎボタン（第２操作ボタン）
【図１】
2018136688.tif 000003
【図２】
2018136688.tif 000004
【図３】
2018136688.tif 000005
【図４】
2018136688.tif 000006